(57)【要約】【課題】ケース本体と蓋部材とを組み付けて形成され、そのケース本体と蓋部材とを固定するかしめ部を被覆するかしめ部カバーを備える基板ケースにおいて、ケース本体と蓋部材との固定を不正に解除する不正行為を防止することができる基板ケースを提供する。【解決手段】ケース本体２と蓋部材３とを組み付けて形成される基板ケースにおいて、かしめ部カバー５内における、ケース本体２および蓋部材３の一側面と対向する天板６１（対向面）には、該天板６１の長手方向に沿って凹陥する溝部６１ａが形成され、天板６１の前後方向（短手方向）における、かしめ部１０の途中部には、かしめ部カバー５が基板ケース１に係止された状態で、かしめ部カバー５の溝部６１ａに嵌合する第二かしめ部２００の第二本体側枠体２２３（嵌合部）が形成されるものである。【選択図】図２０
2011212327.tif 000002
【特許請求の範囲】
【請求項１】
ケース本体と蓋部材とを組み付けて形成される基板ケースにおいて、
前記ケース本体の一側面に設けられる本体側筒状部材と、前記蓋部材の一側面に設けられる蓋側筒状部材とを組み付けて形成され、前記本体側筒状部材と前記蓋側筒状部材とを跨いだ状態に嵌入部材が嵌入される基板ケース筒状部材と、
一面が開口した略箱状に形成され、前記開口した面を前記ケース本体および蓋部材の一側面に向けた姿勢、かつその内部に前記基板ケース筒状部材を収容した状態で、前記ケース本体および前記蓋部材に係止される基板ケース筒状部材カバーと、
を備え、
前記基板ケース筒状部材カバー内における、前記ケース本体および蓋部材の一側面と対向する対向面には、該対向面の長手方向に沿って凹陥する溝部が形成され、
前記対向面の短手方向における、前記基板ケース筒状部材の途中部には、前記基板ケース筒状部材カバーが前記ケース本体および前記蓋部材に係止された状態で、前記基板ケース筒状部材カバーの前記溝部に嵌合する嵌合部が形成される、
ことを特徴とする基板ケース。
【請求項２】
前記基板ケース筒状部材カバーの前記対向面の短手方向における、前記基板ケース筒状部材の両端面は、前記基板ケース筒状部材カバーが前記ケース本体および前記蓋部材に係止された状態で、前記対向面の長手方向に沿って形成される基板ケース筒状部材カバーの両側面に、それぞれ当接する、
ことを特徴とする請求項１に記載の基板ケース。
【請求項３】
前記基板ケース筒状部材は、２つ以上設けられ、
前記基板ケース筒状部材カバーが前記ケース本体および前記蓋部材に係止された状態で、前記基板ケース筒状部材カバー内に収容された前記２つ以上の基板ケース筒状部材のうち、前記対向面の長手方向における両最外側に配置される基板ケース筒状部材は、前記対向面の短手方向に沿って形成される基板ケース筒状部材カバーの両側面に、それぞれ当接する、
ことを特徴とする請求項１又は請求項２に記載の基板ケース。
【発明の詳細な説明】
【技術分野】
【０００１】
本発明は、ケース本体と蓋部材とを組み付けて形成され、そのケース本体と蓋部材とを固定するかしめ部を被覆するかしめ部カバーを備える基板ケースの技術に関する。
【背景技術】
【０００２】
従来、パチンコ機やスロットルマシン等の遊技機において、制御基板を収納する部材として、ケース本体と蓋部材とを組み付けて形成される基板ケースが用いられている。基板ケースに収納した制御基板への不正行為を防止するため、基板ケースに関する種々の技術が公知となっている。
【０００３】
例えば、特許文献１に記載の技術にて、ケース本体と蓋部材とを組み付けて形成される基板ケースは、制御基板を収納した状態で、遊技機に取り付けられる。基板ケースは、ケース本体に設けられたケース側筒部と、蓋部材に設けられた蓋側筒部とを具備し、そのケース側筒部と蓋側筒部とが嵌入部材が嵌入されることによりかしめられ、ケース本体と蓋部材とが固定するように構成される。
このような構成により、ケース本体と蓋部材との固定が容易に解除されないようにしている。
【０００４】
また、特許文献２に記載の技術にて、ケース本体（第一ボックス構成部材）と蓋部材（第二ボックス構成部材）とを組み付けて形成される基板ケース（基板ボックス）は、ケース本体に設けられたケース側筒部（かしめ部）と、蓋部材に設けられた蓋側筒部（かしめ部）と、そのケース側筒部と蓋側筒部とを被覆するかしめ部カバー（固着部カバー）を具備する。かしめ部カバーは、ケース側筒部と蓋側筒部とによりケース本体と蓋部材とが固定された状態で、そのケース側筒部と蓋側筒部とを被覆するように構成される。
このような構成により、ケース本体と蓋部材とを固定するケース側筒部および蓋側筒部に不正行為が行われないようにしている。
【先行技術文献】
【特許文献】
【０００５】
【特許文献１】特開２００７−２６８０６２号公報
【特許文献２】特開２００９−１０６３４４号公報
【発明の概要】
【発明が解決しようとする課題】
【０００６】
しなしながら、特許文献１に記載の技術のように、ケース側筒部と蓋側筒部とに嵌入部材が嵌入されてかしめられ、ケース本体と蓋部材とが固定されたとしても、不正行為により嵌入部材が抜き取られてしまうと、ケース本体と蓋部材との固定が不正に解除される場合がある。
また、特許文献２に記載の技術のように、ケース本体と蓋部材とを固定しているケース側筒部および蓋側筒部をかしめ部カバーにより被覆したとしても、不正行為によりそのかしめ部カバーが切断されたり、基板ケースから取り外されたりすると、そのかしめ部カバー内のケース側筒部および蓋側筒部に不正行為が行われ、ケース本体と蓋部材との固定が不正に解除される場合がある。
【０００７】
本発明は、上記のような問題点に鑑みてなされたものであり、その解決しようとする課題は、ケース本体と蓋部材とを組み付けて形成され、そのケース本体と蓋部材とを固定するかしめ部を被覆するかしめ部カバーを備える基板ケースにおいて、ケース本体と蓋部材との固定を不正に解除する不正行為を防止することができる基板ケースを提供するものである。
【課題を解決するための手段】
【０００８】
本発明の解決しようとする課題は以上の如くであり、次にこの課題を解決するための手段を説明する。
【０００９】
即ち、請求項１においては、ケース本体と蓋部材とを組み付けて形成される基板ケースにおいて、前記ケース本体の一側面に設けられる本体側筒状部材と、前記蓋部材の一側面に設けられる蓋側筒状部材とを組み付けて形成され、前記本体側筒状部材と前記蓋側筒状部材とを跨いだ状態に嵌入部材が嵌入される基板ケース筒状部材と、一面が開口した略箱状に形成され、前記開口した面を前記ケース本体および蓋部材の一側面に向けた姿勢、かつその内部に前記基板ケース筒状部材を収容した状態で、前記ケース本体および前記蓋部材に係止される基板ケース筒状部材カバーと、を備え、前記基板ケース筒状部材カバー内における、前記ケース本体および蓋部材の一側面と対向する対向面には、該対向面の長手方向に沿って凹陥する溝部が形成され、前記対向面の短手方向における、前記基板ケース筒状部材の途中部には、前記基板ケース筒状部材カバーが前記ケース本体および前記蓋部材に係止された状態で、前記基板ケース筒状部材カバーの前記溝部に嵌合する嵌合部が形成されるものである。
【００１０】
請求項２においては、前記基板ケース筒状部材カバーの前記対向面の短手方向における、前記基板ケース筒状部材の両端面は、前記基板ケース筒状部材カバーが前記ケース本体および前記蓋部材に係止された状態で、前記対向面の長手方向に沿って形成される基板ケース筒状部材カバーの両側面に、それぞれ当接するものである。
【００１１】
請求項３においては、前記基板ケース筒状部材は、２つ以上設けられ、前記基板ケース筒状部材カバーが前記ケース本体および前記蓋部材に係止された状態で、前記基板ケース筒状部材カバー内に収容された前記２つ以上の基板ケース筒状部材のうち、前記対向面の長手方向における両最外側に配置される基板ケース筒状部材は、前記対向面の短手方向に沿って形成される基板ケース筒状部材カバーの両側面に、それぞれ当接するものである。
【発明の効果】
【００１２】
本発明の効果として、以下に示すような効果を奏する。
【００１３】
ケース本体と蓋部材とを組み付けて形成され、そのケース本体と蓋部材とを固定するかしめ部を被覆するかしめ部カバーを備える基板ケースにおいて、ケース本体と蓋部材との固定を不正に解除する不正行為を防止することができる。
【図面の簡単な説明】
【００１４】
【図１】本発明の一実施形態に係る基板ケースの全体的な構成を示した斜視図。
【図２】同じく、かしめ部カバーおよびシール貼付部カバーを取り外した状態の構成を示した斜視図。
【図３】同じく、かしめ部カバーおよびシール貼付部カバーを取り外した状態の構成を示した正面図。
【図４】同じく、蓋部材およびケース本体の構成を示した基板ケースの分解斜視図。
【図５】同じく、かしめ部の構成を示した斜視図。
【図６】（ａ）同じく、蓋側かしめ部の構成を示した斜視図。（ｂ）同じく、かしめ部の構成を示した正面図。
【図７】（ａ）同じく、本体側かしめ部の構成を示した斜視図。（ｂ）同じく、かしめ部の構成を示した背面図。
【図８】（ａ）同じく、第一蓋側かしめ部および第二蓋側かしめ部の構成を示した平面図。（ｂ）同じく、第一本体側かしめ部および第二本体側かしめ部の構成を示した平面図。
【図９】（ａ）同じく、第一蓋側かしめ部および第二蓋側かしめ部の構成を示した平面断面図。（ｂ）同じく、第一本体側かしめ部および第二本体側かしめ部の構成を示した平面断面図。
【図１０】同じく、第一かしめ部および第二かしめ部の構成を示した平面図。
【図１１】同じく、第一かしめ部および第二かしめ部の構成を示した平面断面図。
【図１２】同じく、嵌入部材の構成を示した正面図。
【図１３】同じく、第一かしめ部および第二かしめ部に嵌入部材が嵌入された状態を示した平面断面図。
【図１４】同じく、係止片の構成を示した斜視図。
【図１５】（ａ）同じく、かしめ部カバーの構成を示した底面図。（ｂ）同じく、かしめ部カバーの構成を示した平面図。
【図１６】（ａ）同じく、かしめ部カバーの構成を示した背面図。（ｂ）同じく、かしめ部カバーの構成を示した右側面図。（ｃ）同じく、図１６（ａ）におけるＡ−Ａ線矢視断面図。
【図１７】同じく、かしめ部カバーと基板ケースとの取り付け構成を示した平面図。
【図１８】同じく、図１３における、かしめ部カバーが取り付けられた状態を示した平面断面図。
【図１９】（ａ）同じく、図１７におけるＢ−Ｂ線矢視断面図。（ｂ）同じく、図１７におけるＣ−Ｃ線矢視断面図。
【図２０】（ａ）同じく、図１７におけるＥ−Ｅ線矢視断面図。（ｂ）同じく、図１７におけるＦ−Ｆ線矢視断面図。
【図２１】かしめ部カバーに対して想定される不正行為の一例を示す平面図。
【発明を実施するための形態】
【００１５】
本発明の一実施形態に係る基板ケース１について、図１から図４を用いて説明する。
なお、以下の説明において、図１における矢印Ｘの指す方向を基板ケース１の右方向として左右方向を規定する。また、図１における矢印Ｙの指す方向を基板ケース１の前方向として前後方向を規定する。さらに、図１における矢印Ｚの指す方向を基板ケース１の上方向として上下方向を規定する。
【００１６】
基板ケース１は、パチンコ機やスロットルマシン等の遊技機に対して、制御基板を収納する部材として用いられる。基板ケース１は、ポリカーボネート（Ｐｏｌｙｃａｒｂｏｎａｔｅ：ＰＣ）等の透明かつ硬質な合成樹脂材料等により構成され、その内部に制御基板（不図示）を収納する中空状の部材である。基板ケース１は、その内部に制御基板を収納した状態で、パチンコ機やスロットルマシン等の遊技機の裏側に配置されて、この遊技機の裏面に取り付けられる。
【００１７】
基板ケース１は、図１から図４に示すように、ケース本体２と、蓋部材３とを備える。基板ケース１は、ケース本体２と蓋部材３とを、後前に対向させた状態で組み付け、中空状に構成される。基板ケース１においては、かしめ部１０およびシール貼付部４がケース本体２と蓋部材３との間に跨って設けられて、かしめ部１０がかしめ部カバー５により被覆され、シール貼付部４がシール貼付部カバー６により被覆される。
【００１８】
ケース本体２は、蓋部材３とともに基板ケース１の主たる構造体を成す部材である。ケース本体２は、蓋部材３との対向側である前側および下側が開口された略直方体の箱状に形成される。ケース本体２は、その長手方向を左右方向とし、その短手方向を上下方向として配置され、背面が遊技機の裏面と対向するように当該遊技機に支持される。ケース本体２の前後幅は、上下幅よりも短く設定される。また、ケース本体２は、本体側シール貼付部４２と、本体側かしめ部２０とを備える。
【００１９】
本体側シール貼付部４２は、後述する蓋部材３の蓋側シール貼付部４３とともにシール貼付部４を構成する。本体側シール貼付部４２は、ケース本体２の右端部（右側板）から右外方へ向けて突設される。本体側シール貼付部４２は、前側が開口された略直方体の箱状に形成される。本体側シール貼付部４２の前後幅はケース本体２の前後幅の半分程度に設定され、本体側シール貼付部４２の上下幅はケース本体２の上下幅よりも短く設定される。
【００２０】
本体側かしめ部２０は、後述する蓋部材３の蓋側かしめ部３０とともにかしめ部１０を構成する。本体側かしめ部２０は複数（本実施形態においては６つ）備えられる。複数の本体側かしめ部２０は、ケース本体２の上端部（天板）に設けられ、ケース本体２の長手方向、即ち左右方向に適宜の間隔ごとに配置される。
【００２１】
蓋部材３は、ケース本体２とともに基板ケース１の主たる構造体を成す部材である。蓋部材３は、ケース本体２との対向側である後側が開口されたケース本体２と同程度の大きさの略直方体の箱状に形成される。蓋部材３は、その長手方向を左右方向とし、その短手方向を上下方向として配置される。蓋部材３の前後幅は、上下幅よりも短く設定される。また、蓋部材３は、蓋側シール貼付部４３と、蓋側かしめ部３０とを備える。
【００２２】
蓋側シール貼付部４３は、ケース本体２の本体側シール貼付部４２とともにシール貼付部４を構成する。蓋側シール貼付部４３は、蓋部材３の右端部（右側板）から右外方へ向けて突設される。蓋側シール貼付部４３は、ケース本体２の本体側シール貼付部４２と同程度の上下幅および左右幅を有する略平板状に形成され、蓋部材３がケース本体２に組み付けられたときに正面視で本体側シール貼付部４２と重なり合うように配置される。
【００２３】
蓋側かしめ部３０は、ケース本体２の本体側かしめ部２０とともにかしめ部１０を構成する。蓋側かしめ部３０は、本体側かしめ部２０と同数（本実施形態においては６つ）備えられる。複数の蓋側かしめ部３０はそれぞれ、蓋部材３の上端部（天板）に設けられ、蓋部材３がケース本体２に組み付けられたときに正面視で一つの本体側かしめ部２０と重なり合うように配置される。
【００２４】
かしめ部１０は、一つの本体側かしめ部２０と一つの蓋側かしめ部３０とから形成される。かしめ部１０は、本体側かしめ部２０（蓋側かしめ部３０）と同数（本実施形態においては６つ）備えられる。複数のかしめ部１０は、ケース本体２と蓋部材３とが組み付けられたとき、蓋側かしめ部３０を本体側かしめ部２０に下方から嵌め込んだ状態で形成され、前後に連続する蓋部材３の天板の前側部分およびケース本体２の天板よりも上方に配置される。
【００２５】
シール貼付部４は、本体側シール貼付部４２と蓋側シール貼付部４３とから形成される。シール貼付部４は、ケース本体２と蓋部材３とが組み付けられたとき、蓋側シール貼付部４３により本体側シール貼付部４２の開口側を閉塞して、略直方体の箱状に形成される。シール貼付部４には、本体側シール貼付部４２と蓋側シール貼付部４３とを跨ぐように、封印シールが貼付される。これにより、蓋部材３がケース本体２から外されたときには、封印シールが剥離した痕跡が残るため、基板ケース１が開封されたことが視覚的に認識可能となる。
【００２６】
かしめ部カバー５は、図１に示すように、複数のかしめ部１０を被覆する透明の部材である。かしめ部カバー５は、基板ケース１の内部に収納した制御基板への不正行為を防止するために用いられる。かしめ部カバー５は、下側が開口された略直方体の箱状に形成される。かしめ部カバー５は、ケース本体２と蓋部材３とが組み付けられたとき、前後に連続する蓋部材３の天板の前側部分、およびケース本体２の天板に取り付けられる。かしめ部カバー５の前後左右および上下幅は、複数のかしめ部１０を外側から一括して被覆可能な長さに設定される。かしめ部カバー５には、基板ケース１の係止片８０と係止される係止片挿入体７０が設けられる。
【００２７】
シール貼付部カバー６は、図１に示すように、シール貼付部４を被覆する透明の部材である。シール貼付部カバー６は、基板ケース１の内部に収納した制御基板への不正行為を防止するために用いられる。シール貼付部カバー６は、左側が開口された略直方体の箱状に形成される。シール貼付部カバー６は、ケース本体２と蓋部材３とが組み付けられたとき、蓋部材３の右側板およびケース本体２の右側板に取り付けられる。シール貼付部カバー６の前後左右および上下幅は、シール貼付部４を外側から被覆可能な長さに設定される。
【００２８】
このように構成される基板ケース１において、その組み立て時には、まず、図３に示すように、蓋部材３を開口側がケース本体２の前開口側と対向するようにケース本体２の前方に移動させて、ケース本体２と蓋部材３との左右方向の位置を合わせる。次に、蓋部材３をケース本体２よりも少し下方へ移動させながらケース本体２に近づけて、蓋部材３の天板および左右側板の後側部分がケース本体２内においてケース本体２の天板および左右側板にそれぞれ内側から当接するように蓋部材３の上部をケース本体２に嵌合させる。
【００２９】
その後、蓋部材３の上部をケース本体２に嵌合させたまま上方へスライド移動させて、蓋部材３の各蓋側かしめ部３０をケース本体２の各本体側かしめ部２０に下方から嵌め込んで、蓋部材３をケース本体２に組み付ける。この際、各蓋側かしめ部３０が対応する各本体側かしめ部２０と前後に並んで、各かしめ部１０が形成されることになる。同時に、蓋側シール貼付部４３が本体側シール貼付部４２と前後に並んで、シール貼付部４が形成されることになる。そして、嵌入部材５０を各かしめ部１０（蓋側かしめ部３０および本体側かしめ部２０）に前方または後方から嵌入して、本体側かしめ部２０と蓋側かしめ部３０とをかしめ、ケース本体２と蓋部材３とを複数のかしめ部１０にて固定する。
【００３０】
こうして、ケース本体２と蓋部材３とを組み付け、組み付けたケース本体２と蓋部材３との間に跨ってかしめ部１０およびシール貼付部４を設けた後、かしめ部カバー５をケース本体２および蓋部材３の上部に取り付けて、複数のかしめ部１０をかしめ部カバー５により外側から一括して覆う。また、シール貼付部カバー６をケース本体２および蓋部材３の右側部に取り付けて、シール貼付部４をシール貼付部カバー６により外側から覆う。これにより、基板ケース１の組み立てが終了して、基板ケース１が完成する。
【００３１】
次に、かしめ部１０の構成について、図５から図１１を用いてさらに詳細に説明する。
【００３２】
複数のかしめ部１０は、複数組に分けられて、基板ケース１の上端部に組ごとに数個ずつまとめて配置される。本実施形態においては、図５に示すように、６つのかしめ部１０が、二組に分けられて、基板ケース１の上端部における左右の２箇所に３つずつまとめて配置される。
以下の説明においては、左側の組の構成についてのみ説明する。右側の組の構成は、左側の組と略同一の構成であって、基板ケース１の左右中央を中心として左右対称な構成であるので、各構成部材に図面にて左側の組の説明で用いた符号と同一の符号を付すことで、その説明を省略する。
【００３３】
３つのかしめ部１０は、基板ケース１の上端部において、基板ケース１の左右中央よりも左側に配置され、隣り合うものと近接した状態で左右方向へ順次並べられる。本実施形態においては、図５に示すように、３つのかしめ部１０である第一かしめ部１００、第二かしめ部２００および第三かしめ部３００が、基板ケース１の上端部左側において、右側（基板ケース１の左右中央側）から左側（基板ケース１の左右外側）へ順次並べられる。
なお、本実施形態においては、ケース本体２と蓋部材３とを固定する場合、３つのかしめ部１０のうち、隣り合う第一かしめ部１００および第二かしめ部２００の２つ（２種類）のかしめ部を用いる。第三かしめ部３００は、第一かしめ部１００および第二かしめ部２００の予備のかしめ部とする。
【００３４】
次に、第一かしめ部１００および第二かしめ部２００の構成について説明する。
なお、第三かしめ部３００の構成は、第一かしめ部１００と略同様の構成であって、第二かしめ部２００を中心として左右対称な構成であるので、各構成部材に図面にて第一かしめ部１００の説明で用いた符号と同一の符号を付すことで、その説明を省略する。
【００３５】
まず、第一かしめ部１００の構成について、図５から図１１を用いて説明する。
【００３６】
第一かしめ部１００は、図５に示すように、第一本体側かしめ部１２０と、第一蓋側かしめ部１３０とを備える。第一かしめ部１００は、その長手方向をケース本体２と蓋部材３との対向方向である前後方向として、３つのかしめ部１０中で最も右側に配置される。
【００３７】
第一本体側かしめ部１２０は、図７から図１１に示すように、第一かしめ部１００の後側に配置される。第一本体側かしめ部１２０は、ケース本体２に設けられる。第一本体側かしめ部１２０は、第一本体側筒部１２１と、第一本体側収容部１２２と、第一本体側枠体１２３とを備える。
【００３８】
第一本体側筒部１２１は、前側が開口され、後側が閉塞部１２５により閉じられた有底の略円筒状に形成される。第一本体側筒部１２１は、その軸心方向を前後方向として、ケース本体２の天板（基板ケース１の天板）よりも上方に配置される。第一本体側筒部１２１は、ケース本体２の天板に固定リブ１２１ａを介して固定される。
【００３９】
第一本体側収容部１２２は、図７に示すように、前後側および下側が開口された略筒状に形成される。第一本体側収容部１２２は、ケース本体２の天板の上方において、その軸心方向を前後方向として、第一本体側筒部１２１のすぐ前に配置され、第一本体側筒部１２１と前後に連続するように設けられる。第一本体側収容部１２２は、上部の外周形状が上方へ凸となるように円弧状であって、第一本体側筒部１２１よりも大径に形成されて、第一本体側筒部１２１と連通される。第一本体側収容部１２２は、ケース本体２の天板に直接固定される。
【００４０】
第一本体側枠体１２３は、図７に示すように、前後側および下側が開口された略四角筒状に形成される。第一本体側枠体１２３は、ケース本体２の天板の上方において、その軸心方向を前後方向として、第一本体側収容部１２２のすぐ前に配置されて、第一本体側収容部１２２と前後に連続するように設けられる。第一本体側枠体１２３は、第一本体側収容部１２２よりも大径に形成されて、第一本体側収容部１２２と連通される。第一本体側枠体１２３は、ケース本体２の天板に直接固定される。
【００４１】
こうして、第一本体側かしめ部１２０は、第一本体側筒部１２１と、第一本体側収容部１２２と、第一本体側枠体１２３とを後方から前方へ向けて順に連続させて構成され、図９（ｂ）に示すように、全体として軸心方向を前後方向とする略筒状に形成される。ここで、第一本体側かしめ部１２０は、第一本体側筒部１２１、第一本体側収容部１２２および第一本体側枠体１２３の形状に応じて、後方から前方へ向けて段階的に拡径しながら、蓋部材３との対向側である前側を開口するとともに、蓋部材３との反対向側である後側を閉じ、さらには前部の下側を開口する形状となる。
【００４２】
第一蓋側かしめ部１３０は、図６、図８から図１１に示すように、第一かしめ部１００の前側に配置される。第一蓋側かしめ部１３０は、その後側部分を第一本体側かしめ部１２０内に嵌め込むことができるように構成されて、蓋部材３に設けられる。第一蓋側かしめ部１３０は、第一蓋側収容部１３２と、第一蓋側筒部１３１とを備える。
【００４３】
第一蓋側収容部１３２は、前後側が開口された略四角筒状に形成される。第一蓋側収容部１３２は、その軸心方向を前後方向として、蓋部材３の天板（基板ケース１の天板）よりも上方に配置される。
第一蓋側収容部１３２は、複数（本実施形態においては３つ）の蓋側連結片１３５を介して蓋部材３の天板に連結される。各蓋側連結片１３５は、ニッパー等の工具により切断可能な部材である。
本実施形態においては、図６および図９（ａ）に示すように、第一蓋側収容部１３２の底板の前部（前方から視認しやすい位置）に２つの蓋側連結片１３５が左右方向に適宜な間隔をあけて配置されるとともに、底板の後部に１つの蓋側連結片１３５が配置される。そして、第一蓋側収容部１３２が３つの蓋側連結片１３５を介して蓋部材３の天板に連結された状態で、これら全ての蓋側連結片１３５が切断されると、第一蓋側収容部１３２が蓋部材３の天板と分離して蓋部材３から外れるようになっている。
ここで、第一蓋側収容部１３２は、第一本体側かしめ部１２０の第一本体側枠体１２３の内周形状に合わせた略四角筒状に形成される。その上で、図１０および図１１に示すように、第一蓋側収容部１３２の外径は、第一本体側枠体１２３の内径よりも若干小さく、かつ第一本体側収容部１２２の内径よりも大きく設定される。こうして、第一蓋側収容部１３２は、その後側部分を第一本体側枠体１２３内に嵌め込むことができるように構成される。
また、第一蓋側収容部１３２の左右の側板には、それぞれその後端部を切り欠くようにして、上下方向に細長い長方形状の開口部１３６が形成される。
【００４４】
第一蓋側筒部１３１は、前後側ともに開口された略円筒状に形成される。第一蓋側筒部１３１は、蓋部材３の天板の上方において、その軸心方向を前後方向として、第一蓋側収容部１３２のすぐ後に左右の開口部１３６を閉塞しないように配置されて、第一蓋側収容部１３２と前後に連続するように設けられる。
第一蓋側筒部１３１は、第一蓋側収容部１３２の内径よりも小径に形成され、第一蓋側収容部１３２と連通される。第一蓋側筒部１３１は、その前端部を第一蓋側収容部１３２の後端部内に嵌入することにより、この第一蓋側収容部１３２を介して基板ケース１（さらに詳細には、蓋部材３）の天板に連結される。
ここで、第一蓋側筒部１３１は、第一本体側かしめ部１２０の第一本体側収容部１２２の内周形状に合わせた略円筒状に形成される。その上で、図１０および図１１に示すように、第一蓋側筒部１３１の外径は、第一本体側収容部１２２の内径よりも若干小さく、かつ第一本体側筒部１２１の内径よりも大きく設定される。また、第一蓋側筒部１３１の内径は、第一本体側筒部１２１の内径と同程度に設定される。こうして、第一蓋側筒部１３１は、そのすべての部分を、第一本体側収容部１２２内に嵌め込むことができるように構成される。
【００４５】
こうして、第一蓋側かしめ部１３０は、第一蓋側収容部１３２および第一蓋側筒部１３１を前後に連続させて構成され、図９（ａ）に示すように、全体として軸心方向を前後方向とする略筒状に形成される。ここで、第一蓋側かしめ部１３０は、第一蓋側収容部１３２および第一蓋側筒部１３１に応じて、前方から後方へ向けて段階的に縮径しながら、ケース本体２との反対向側である前側を開口するとともに、ケース本体２との対向側である後側を開口する形状となる。
【００４６】
このような構成において、前述のように基板ケース１を組み立てる場合に、蓋部材３の上部をケース本体２に嵌合させたまま上方へスライド移動させるとき、蓋部材３の第一蓋側かしめ部１３０が、蓋部材３のスライド移動にともなって上方へ向けて移動し、ケース本体２の第一本体側かしめ部１２０に下方から嵌め込まれる。具体的には、第一蓋側収容部１３２の後端部が第一本体側枠体１２３内に嵌め込まれ、第一蓋側筒部１３１の全部が第一本体側収容部１２２内に嵌め込まれる。この際、第一蓋側収容部１３２は第一本体側収容部１２２内に嵌め込まれず、第一蓋側筒部１３１は第一本体側筒部１２１内に嵌め込まれない。こうして、第一かしめ部１００は、ケース本体２と蓋部材３とが組み付けられたときに、第一蓋側かしめ部１３０の後部を第一本体側かしめ部１２０の前部内に下方から嵌め込んで、第一蓋側かしめ部１３０が第一本体側かしめ部１２０と前後に略一直線状に並ぶように形成される。
【００４７】
第一かしめ部１００内においては、第一蓋側筒部１３１が第一本体側筒部１２１の前方で第一本体側筒部１２１と略同一軸心上に配置され、第一本体側筒部１２１と連通されることになる。つまり、第一かしめ部１００は、最前部に位置する第一蓋側収容部１３２から最後部に位置する第一本体側筒部１２１までが連通され、全体として軸心方向を前後方向とする有底の略筒状に形成される。ここで、第一かしめ部１００は、後側に閉塞部１２５を有し、前側を開口する形状となる。
【００４８】
次に、第二かしめ部２００の構成について、図５から図１１を用いて説明する。
【００４９】
第二かしめ部２００は、図５に示すように、第二本体側かしめ部２２０と、第二蓋側かしめ部２３０とを備える。第二かしめ部２００は、その長手方向をケース本体２と蓋部材３との対向方向である前後方向として、３つのかしめ部１０の真中で、第一かしめ部１００の左隣に配置される。
【００５０】
第二本体側かしめ部２２０は、図７から図１１に示すように、第二かしめ部２００の後側に配置される。第二本体側かしめ部２２０は、ケース本体２に設けられる。第二本体側かしめ部２２０は、第二本体側収容部２２２と、第二本体側筒部２２１と、第二本体側枠体２２３とを備える。
【００５１】
第二本体側収容部２２２は、前後側が開口された略四角筒状に形成される。第二本体側収容部２２２は、その軸心方向を前後方向として、ケース本体２の天板（基板ケース１の天板）よりも上方に配置される。
第二本体側収容部２２２は、複数（本実施形態においては、２つ）の本体側連結片２２５を介してケース本体２の天板に連結される。また、第二本体側収容部２２２は、後述する第二本体側枠体２２３とも１つの本体側連結片２２５を介して連結される。各本体側連結片２２５は、ニッパー等の工具により切断可能な部材である。
本実施形態において、図７（ｂ）に示すように、第二本体側収容部２２２の底板の後部（後方から視認しやすい位置）に２つの本体側連結片２２５が左右方向に適宜な間隔をあけて配置されるとともに、天板の前部に１つの本体側連結片２２５が配置される。そして、第二本体側収容部２２２が三つの本体側連結片２２５を介してケース本体２の天板に連結された状態で、これら全ての本体側連結片２２５が切断されると、第二本体側収容部２２２は、ケース本体２の天板および第二本体側枠体２２３から分離してケース本体２から外れるようになっている。
また、第二本体側収容部２２２の左右の側板には、それぞれその前端部を切り欠くようにして、上下方向に細長い長方形状の開口部２２６が形成される。
【００５２】
第二本体側筒部２２１は、前後側ともに開口された略円筒状に形成される。第二本体側筒部２２１は、ケース本体２の天板の上方において、その軸心方向を前後方向として、第二本体側収容部２２２のすぐ前に左右の開口部２２６を閉塞しないように配置されて、第二本体側収容部２２２と前後に連続するように設けられる。
第二本体側筒部２２１は、第二本体側収容部２２２の内径よりも小径の略円筒形状に形成され、第二本体側収容部２２２と連通される。第二本体側筒部２２１は、その後端部を第二本体側収容部２２２の前端部内に嵌入することにより、第二本体側収容部２２２を介してケース本体２の天板に連結される。
【００５３】
第二本体側枠体２２３は、前後側および下側が開口された略四角筒状に形成される。第二本体側枠体２２３は、ケース本体２の天板の上方において、第二本体側筒部２２１の外周部を上方から覆うように配置される。第二本体側枠体２２３は、ケース本体２の天板に直接固定され、ケース本体２内と連通される。
また、図１０および図１１に示すように、第二本体側枠体２２３の内径の前後、左右および上下方向の長さは、第二本体側筒部２２１の外径の前後、左右および上下方向の長さよりも長く設定される。また、第二本体側枠体２２３の内径の左右および上下方向の長さは、第二本体側収容部２２２の外径の左右および上下方向の長さよりも長く設定される。そして、第二本体側枠体２２３は、その内部に第二本体側筒部２２１の全部と、第二本体側収容部２２２の前端部を収容可能に構成される。
また、第二本体側枠体２２３は、前述したように、本体側連結片２２５を介して第二本体側収容部２２２と連結される。本実施形態において、第二本体側枠体２２３の天板の後部に、（第二本体側収容部２２２の天板の前部と連結される）１つの本体側連結片２２５が配置される。
また、第二本体側枠体２２３の外径の前後および上下方向の長さは、第一かしめ部１００における第一本体側かしめ部１２０の第一本体側枠体１２３の外径の前後および上下方向の長さよりも長く設定される。したがって、平面視で第二本体側枠体２２３の前後端部は、第一本体側枠体１２３の前後端部よりも外方（前後方）に位置し、また正面視で第二本体側枠体２２３の天板は、第一本体側枠体１２３の天板よりも上方へ突出するように構成される。
【００５４】
こうして、第二本体側かしめ部２２０は、第二本体側収容部２２２と、第二本体側筒部２２１とを後方から前方へ向けて順に連続させるとともに、第二本体側枠体２２３を第二本体側収容部２２２および第二本体側筒部２２１の周囲に配置して構成され、図９（ｂ）に示すように、全体として軸心方向を前後方向とする略二重筒状に形成される。ここで、第二本体側かしめ部２２０は、内側の筒状部では第二本体側収容部２２２および第二本体側筒部２２１の形状に応じて、後方から前方へ向けて段階的に縮径しながら、蓋部材３との対向側である前側を開口するとともに、蓋部材３との反対向側である後側を開口する形状となり、外側の筒状部では第二本体側枠体２２３の形状に応じて、蓋部材３との対向側である前側を開口するとともに、蓋部材３との反対向側である後側を開口し、さらに下側を開口する形状となる。
【００５５】
第二蓋側かしめ部２３０は、図６、図８から図１１に示すように、第二かしめ部２００の前側に配置される。第二蓋側かしめ部２３０は、蓋部材３に設けられる。第二蓋側かしめ部２３０は、第二蓋側枠体２３３と、第二蓋側収容部２３２と、第二蓋側筒部２３１とを備える。
【００５６】
第二蓋側筒部２３１は、図６に示すように、前側が閉塞部２３５により閉じられ、後側が開口された有蓋の略円筒状に形成される。第二蓋側筒部２３１は、その軸心方向を前後方向として、蓋部材３の天板（基板ケース１の天板）よりも上方に配置される。
【００５７】
第二蓋側収容部２３２は、前後側および上側が開口された略筒状に形成される。第二蓋側収容部２３２は、蓋部材３の天板の上方において、その軸心方向を前後方向として、第二蓋側筒部２３１のすぐ後に配置され、第二蓋側筒部２３１と前後に連続するように設けられる。第二蓋側収容部２３２は、下部の外周形状が下方へ凸となるように第二蓋側筒部２３１よりも大径に形成され、第二蓋側筒部２３１と連通される。
また、図１０および図１１に示すように、第二蓋側収容部２３２の内径の前後、左右および上下方向の長さは、第二本体側かしめ部２２０の第二本体側筒部２２１の外径の前後、左右および上下方向の長さより若干長く設定される。また、第二蓋側収容部２３２の外径の前後、左右および上下方向の長さは、第二本体側かしめ部２２０の第二本体側枠体２２３の内径の前後、左右および上下方向の長さより短く設定される。そして、第二蓋側収容部２３２の全部が第二本体側枠体２２３内に収容可能に構成されるとともに、第二本体側筒部２２１の略全部が第二蓋側収容部２３２に嵌め込み可能に構成される。
【００５８】
第二蓋側枠体２３３は、前後側および上側が開口された略四角筒状に形成される。第二蓋側枠体２３３は、蓋部材３の天板の上方において、その軸心方向を前後方向として、第二蓋側収容部２３２のすぐ後に配置されて、第二蓋側収容部２３２と前後に連続するように設けられる。第二蓋側枠体２３３は、第二蓋側収容部２３２よりも大径に形成され、第二蓋側収容部２３２と連通される。第二蓋側枠体２３３は、蓋部材３の天板に直接固定される。
また、図１０および図１１に示すように、第二蓋側枠体２３３の外径の前後および上下方向の長さは、第二本体側かしめ部２２０の第二本体側枠体２２３の内径の前後および上下方向の長さより若干短く設定される。そして、第二蓋側枠体２３３が第二本体側枠体２２３内に嵌め込み可能に構成される。
【００５９】
こうして、第二蓋側かしめ部２３０は、第二蓋側筒部２３１と、第二蓋側収容部２３２と、第二蓋側枠体２３３とを前方から後方へ向けて順に連続させて構成され、全体として軸心方向を前後方向とする略筒状に形成される。ここで、第二蓋側かしめ部２３０は、第二蓋側筒部２３１、第二蓋側収容部２３２および第二蓋側枠体２３３の形状に応じて、前方から後方へ向けて段階的に拡径しながら、ケース本体２との反対向側である前側を閉じるとともに、ケース本体２との対向側である後側を開口する形状となる。
【００６０】
このような構成において、前述のように基板ケース１を組み立てる場合に、蓋部材３の上部をケース本体２に嵌合させたまま上方へスライド移動させるとき、蓋部材３の第二蓋側かしめ部２３０が、蓋部材３のスライド移動にともなって上方へ向けて移動し、図１０および図１１に示すように、ケース本体２の第二本体側かしめ部２２０に下方から嵌め込まれる。具体的には、第二蓋側収容部２３２内に第二本体側筒部２２１の全部が嵌めこまれ、第二蓋側収容部２３２が第二本体側枠体２２３に収容される。そして、第二本体側収容部２２２の前端部が第二蓋側枠体２３３に嵌め込まれる。この際、第二本体側収容部２２２は第二蓋側収容部２３２内に嵌め込まれず、第二本体側筒部２２１は第二蓋側筒部２３１内に嵌め込まれない。こうして、第二かしめ部２００は、ケース本体２と蓋部材３とが組み付けられたときに、第二蓋側かしめ部２３０の後部を第二本体側かしめ部２２０の前部内に下方から嵌め込んで、第二蓋側かしめ部２３０が第二本体側かしめ部２２０と前後に略一直線状に並ぶように形成される。
【００６１】
また、第二かしめ部２００内においては、第二蓋側筒部２３１が第二本体側筒部２２１の前方で第二本体側筒部２２１と略同一軸心上に配置され、第二本体側筒部２２１と連通されることになる。つまり、第二かしめ部２００は、最後部に位置する第二本体側収容部２２２から最前部に位置する第二蓋側筒部２３１までが連通され、全体として軸心方向を前後方向とする有蓋の略筒状に形成される。ここで、第二かしめ部２００は、前側に閉塞部２３５を有し、後側を開口する形状となる。
【００６２】
次に、第一かしめ部１００および第二かしめ部２００に嵌入される嵌入部材５０の構成について、図１２を用いて説明する。
【００６３】
嵌入部材５０は、スプリングピン５１と、組み付けピン５２とを組み付けて形成される。嵌入部材５０の軸心方向の幅は、第一本体側かしめ部１２０の前後幅よりも若干小さく設定される。
スプリングピン５１は、鉄鋼やばね鋼などから構成される略円筒状の部材である。スプリングピン５１の外周面の一部には、切り込み５１ａが軸心方向に蛇行しながら延びるように形成される。スプリングピン５１の自然状態における外径は、第一本体側筒部１２１および第一蓋側筒部１３１の内径よりも若干大きく設定される。スプリングピン５１は弾性を有しており、スプリングピン５１の外周側から半径方向内側（切り込み５１ａの幅が小さくなる方向）に力がかかると、力がかかった方向へ弾性変形する。スプリングピン５１は、半径方向内側へ弾性変形した状態では、半径方向外側（切り込み５１ａの幅が大きくなる方向）への復元力を有する。
組み付けピン５２は、ＡＢＳ等の合成樹脂材などから構成されて可撓性を有する。組み付けピン５２は、略四角板状に形成された板状片５３の中央部から挿入軸５４を延出させて形成される。板状片５３の直径は、スプリングピン５１の外径よりも大きく、かつ第一蓋側収容部１３２および第二本体側収容部２２２の内径よりも若干大きく設定される。そして、組み付けピン５２は、挿入軸５４をスプリングピン５１の一側の開口部から挿入して、板状片５３をスプリングピン５１の一側端部に固定することにより、スプリングピン５１と組み付けられる。
【００６４】
次に、ケース本体２と蓋部材３との固定について、図１３を用いて説明する。
【００６５】
ケース本体２と蓋部材３との固定は、嵌入部材５０が第一かしめ部１００および第二かしめ部２００にそれぞれ嵌入されて、第一かしめ部１００の第一本体側かしめ部１２０と第一蓋側かしめ部１３０とがかしめられるとともに、第二かしめ部２００の第二本体側かしめ部２２０と第二蓋側かしめ部２３０とがかしめられることによって行われる。
【００６６】
具体的には、基板ケース１が組み立てられる場合に、ケース本体２と蓋部材３とが組み付けられたとき、かしめ部１０の左側の組においては、第一蓋側かしめ部１３０が、その後部を第一本体側かしめ部１２０の前部に嵌め込んだ状態で、第一本体側かしめ部１２０と連通しつつ前後に略一直線状に並ぶように組み付けられて、第一かしめ部１００が全体として軸心方向を前後方向とする有底の略筒状に形成される。
そして、嵌入部材５０が、スプリングピン５１を後側として、第一かしめ部１００内にその前側の開口部、即ち第一蓋側収容部１３２の前側の開口部から嵌入される。
この際、嵌入部材５０は、板状片５３の直径が第一蓋側収容部１３２の内径よりも若干大きく設定されることから、板状片５３の左右の外周部を曲げて第一蓋側収容部１３２の内周面に当接させながら（板状片５３の左右側端部が前方へ向けて反り返りながら）、第一かしめ部１００内に嵌入される。
そして、嵌入部材５０のスプリングピン５１の後部が第一蓋側筒部１３１内を通過して第一本体側筒部１２１内に至ると、板状片５３が左右の外周部の曲げを戻して（つまり、板状片５３の左右側端部の前方へ向けての反り返りがなくなり、板状片５３の形状が復元する）、第一蓋側収容部１３２の左右側壁の開口部１３６に嵌め込まれる。こうして、嵌入部材５０が第一かしめ部１００に対して抜け止めされる。
【００６７】
嵌入部材５０の第一かしめ部１００への嵌入時、第一本体側筒部１２１の内径および第一蓋側筒部１３１の内径は、スプリングピン５１の自然状態における外径よりも若干小さく設定されていることから、第一本体側筒部１２１内および第一蓋側筒部１３１内に嵌入されたスプリングピン５１は、径が縮小する方向（半径方向内側）へ弾性変形する。
この状態においては、嵌入部材５０のスプリングピン５１の復元力、つまりスプリングピン５１の半径方向外側へ向けられた力と、第一本体側筒部１２１および第一蓋側筒部１３１のそれぞれの反力とによって、スプリングピン５１の外周面と第一本体側筒部１２１および第一蓋側筒部１３１の内周面との間に摩擦力が発生する。
【００６８】
このような構成により、嵌入部材５０が第一かしめ部１００に第一本体側筒部１２１と第一蓋側筒部１３１との間に跨った状態で保持されて、第一本体側かしめ部１２０と第一蓋側かしめ部１３０とがかしめられ、ケース本体２と蓋部材３とが固定される。
また、嵌入部材５０は、第一本体側筒部１２１と第一蓋側筒部１３１との間に跨った状態から前方へ向けて簡単には移動しなくなる。そのため、一旦第一本体側かしめ部１２０と第一蓋側かしめ部１３０とがかしめられた後は、嵌入部材５０を第一かしめ部１００から抜き取って、ケース本体２と蓋部材３との固定を容易に解除することはできないようになっている。
【００６９】
また、基板ケース１が組み立てられる場合に、ケース本体２と蓋部材３とが組み付けられたとき、かしめ部１０の左側の組においては、第二蓋側かしめ部２３０が、その後部を第二本体側かしめ部２２０の前部に嵌め込んだ状態で、第二本体側かしめ部２２０と連通しつつ前後に略一直線状に並ぶように組み付けられて、第一かしめ部１００が全体として軸心方向を前後方向とする有蓋の略筒状に形成される。
そして、嵌入部材５０が、スプリングピン５１を前側として、第一かしめ部１００内にその後側の開口部、即ち第二本体側収容部２２２の後側の開口部から嵌入される。
この際、嵌入部材５０は、板状片５３の直径が第二本体側収容部２２２の内径よりも若干大きく設定されることから、板状片５３の左右の外周部を曲げて第二本体側収容部２２２の内周面に当接させながら（板状片５３の左右側端部が後方へ向けて反り返りながら）、第二かしめ部２００内に嵌入される。
そして、嵌入部材５０のスプリングピン５１の前部が第二本体側筒部２２１内を通過して第二蓋側筒部２３１内に至ると、板状片５３が左右の外周部の曲げを戻して（つまり、板状片５３の左右側端部の後方へ向けての反り返りがなくなり、板状片５３の形状が復元する）、第二本体側収容部２２２の左右側壁の開口部２２６に嵌め込まれる。こうして、嵌入部材５０が第二かしめ部２００に対して抜け止めされる。
【００７０】
嵌入部材５０の第二かしめ部２００への嵌入時、第二本体側筒部２２１の内径および第二蓋側筒部２３１の内径は、スプリングピン５１の自然状態における外径よりも若干小さく設定されていることから、第二本体側筒部２２１および第二蓋側筒部２３１に嵌入されたスプリングピン５１は、径が縮小する方向（半径方向内側）へ弾性変形する。
この状態においては、嵌入部材５０のスプリングピン５１の復元力、つまりスプリングピン５１の半径方向外側へ向けられた力と、第二本体側筒部２２１および第二蓋側筒部２３１のそれぞれの反力とによって、スプリングピン５１の外周面と第二本体側筒部２２１および第二蓋側筒部２３１の内周面との間に摩擦力が発生する。
【００７１】
このような構成により、嵌入部材５０が第二かしめ部２００に第二本体側筒部２２１と第二蓋側筒部２３１との間に跨った状態で保持されて、第二本体側かしめ部２２０と第二蓋側かしめ部２３０とがかしめられ、ケース本体２と蓋部材３とが固定される。
また、嵌入部材５０は、第二本体側筒部２２１と第二蓋側筒部２３１との間に跨った状態から後方へ向けて簡単には移動しなくなる。そのため、一旦第二本体側かしめ部２２０と第二蓋側かしめ部２３０とがかしめられた後は、嵌入部材５０を第二かしめ部２００から抜き取って、ケース本体２と蓋部材３との固定を容易に解除することはできないようになっている。
【００７２】
次に、蓋部材３とケース本体２との固定の解除について説明する。
【００７３】
蓋部材３とケース本体２との固定の解除は、嵌入部材５０を第一かしめ部１００および第二かしめ部２００から抜き取らずに、第一かしめ部１００の第一蓋側かしめ部１３０を蓋部材３に連結させる蓋側連結片１３５と、第二かしめ部２００の第二本体側かしめ部２２０をケース本体２に連結させる本体側連結片２２５とを切断することによって行われる。
【００７４】
具体的には、基板ケース１が組み立てられた後、第一かしめ部１００側の蓋側連結片１３５がニッパー等の工具により切断されると、第一かしめ部１００においては、第一蓋側かしめ部１３０の第一蓋側収容部１３２が蓋部材３の天板と分離して蓋部材３から外れる。
このとき、第一蓋側かしめ部１３０の第一蓋側筒部１３１が第一本体側筒部１２１内に嵌め込まれた状態で、嵌入部材５０のスプリングピン５１が第一本体側筒部１２１内および第一蓋側筒部１３１内に嵌入されるとともに、嵌入部材５０の板状片５３が第一蓋側収容部１３２の開口部１３６に嵌め込まれているため、第一蓋側かしめ部１３０がケース本体２に第一本体側かしめ部１２０を介して連結されている。しかし、第一蓋側収容部１３２が蓋部材３から外れているため、第一かしめ部１００（第一本体側かしめ部１２０および第一蓋側かしめ部１３０）がケース本体２のみに設けられた状態となって、ケース本体２と蓋部材３との固定が解除される。
【００７５】
また、基板ケース１が組み立てられた後、第二かしめ部２００側の本体側連結片２２５がニッパー等の工具により切断されると、第二かしめ部２００においては、第二本体側かしめ部２２０の第二本体側収容部２２２が第二本体側枠体２２３およびケース本体２の天板と分離して蓋部材３から外れる。
この状態においては、第二本体側かしめ部２２０の第二本体側筒部２２１が第二蓋側収容部２３２内に嵌め込まれた状態で、嵌入部材５０のスプリングピン５１が第二蓋側筒部２３１内および第二本体側筒部２２１内に嵌入されるとともに、嵌入部材５０の板状片５３が第二本体側収容部２２２の開口部２２６に嵌め込まれているため、第二本体側かしめ部２２０が蓋部材３に第二蓋側かしめ部２３０を介して連結されている。しかし、第二本体側収容部２２２がケース本体２から外れているため、第二かしめ部２００（第二本体側かしめ部２２０および第二蓋側かしめ部２３０）が蓋部材３のみに設けられた状態となって、ケース本体２と蓋部材３との固定が解除される。
【００７６】
次に、かしめ部カバー５を基板ケース１に係止させる係止片８０の構成について説明する。
【００７７】
係止片８０は、図６、図７および図１４に示すように、細長い略板状形状に形成される部材である。係止片８０は、複数設けられ、各係止片８０は、長手方向を上下方向として基板ケース１の上端部から上方へ向けて突設される。係止片８０の下端部は、基板ケース１の天板（さらに詳細には、前後に連続する蓋部材３の天板の前側部分およびケース本体２の天板）に接続され、係止片８０と基板ケース１とが一体的に形成されている。
【００７８】
本実施形態において、係止片８０は、２種類設けられる。具体的には、図１４に示すように、かしめ部カバー５が基板ケース１に取り付けられた状態において、かしめ部カバー５の内側に配置される内側係止片８２と、かしめ部カバー５の外側に配置される外側係止片８１と、である。内側係止片８２は、かしめ部カバー５を内側から係止し、外側係止片８１は、かしめ部カバー５を外側から係止する。換言すれば、かしめ部カバー５は、内側係止片８２および外側係止片８１により内側および外側から係止されて基板ケース１に取り付けられる。
【００７９】
次に、かしめ部カバー５の構成について、図１５から図２０を用いてさらに詳細に説明する。
【００８０】
かしめ部カバー５は、天板６１と、前板６２と、背板６３と、左側板６４と、右側板６５と、により下側が開口された略直方体の箱状に形成される。かしめ部カバー５は、基板ケース１に設けられる外側係止片８１および内側係止片８２により係止されて基板ケース１に取り付けられる。
【００８１】
天板６１は、かしめ部カバー５の上部を成す略板状の部材である。天板６１は、左右方向に細長い長方形状に形成される。天板６１は、その前端部が前板６２の上端部と接続され、また後端部が背板６３の上端部と接続され、前板６２と背板６３とを連結している。天板６１の内面には、上方へ向けて凹陥する溝部６１ａが設けられる。溝部６１ａは、平面視で細長い長方形状であって、天板６１の長手方向、つまり左右方向にわたって凹陥するように形成される。天板６１の溝部６１ａは、図１６に示すように、側面断面視で上方へ向け突出し、下側が開口された略コの字状となるように形成される。換言すれば、天板６１は、側面断面視で下側が開口された略コの字状に形成された溝部６１ａの前後下端部から、前方および後方へ向けて板状の部材が鍔状に延出されて形成される。
図２０に示すように、天板６１の溝部６１ａの内径の前後方向の長さは、第二本体側かしめ部２２０の第二本体側枠体２２３の外径の前後方向の長さより若干長く設定される。そして、かしめ部カバー５が基板ケース１に取り付けられた状態で、天板６１の溝部６１ａ内に、第二本体側かしめ部２２０の第二本体側枠体２２３の上部が嵌め込まれる（嵌合される）。そして、天板６１の溝部６１ａの内周面と第二本体側かしめ部２２０の第二本体側枠体２２３の外周面（上面、前側面および後側面）の上部とが当接、又は近接するように設定される。
【００８２】
前板６２は、かしめ部カバー５の前部を成す略板状の部材である。前板６２は、左右方向に細長い長方形状に形成される。前板６２の左右中央部からやや左側の下端部には、左右一対の貫通孔７５が設けられる。かしめ部カバー５における左右一対の貫通孔７５が形成される部分の内側には、内側係止片８２が挿入される係止片挿入体７０が形成される。
なお、前板６２は、かしめ部カバー５が基板ケース１に取り付けられた状態で、該前板６２の内面側に、第一かしめ部１００および第三かしめ部３００の各第一蓋側収容部１３２の前端面と、第二かしめ部２００の第二蓋側筒部２３１の前端面（第二蓋側筒部２３１の閉塞部２３５の前面）が当接、又は近接するように設定される。また、前板６２の下端部は、基板ケース１の前板の前上端部と当接するように設定され、前板６２と基板ケース１の前板とが、板面を前後方向に向けた状態で上下方向に連続した略一平面となるように形成される。
【００８３】
背板６３は、かしめ部カバー５の後部を成す略板状の部材である。背板６３は、左右方向に細長い長方形状に形成される。背板６３の左右中央部からやや右側の下端部には、左右一対の貫通孔７５が設けられる。かしめ部カバー５における左右一対の貫通孔７５が形成される部分の内側には、内側係止片８２が挿入される係止片挿入体７０が形成される。
なお、背板６３は、かしめ部カバー５が基板ケース１に取り付けられた状態で、該背板６３の内面側に、第一かしめ部１００および第三かしめ部３００の各第一本体側筒部１２１の後端面（第一かしめ部１００においては、第一本体側筒部１２１の閉塞部１２５の後面）と、第二かしめ部２００の第二本体側収容部２２２の後端面が当接、又は近接するように設定される。また、背板６３の下端部は、基板ケース１の背板の後上端部と当接するように設定され、背板６３と基板ケース１の背板とが、板面を前後方向に向けた状態で上下方向に連続した略一平面となるように形成される。
【００８４】
左側板６４は、かしめ部カバー５の左部を成す略板状の部材である。左側板６４は、前後方向にやや細長い略長方形状であって前後の上端部が側面視で略正方形状に切り欠けられた形状（前後中央部が上方へ突出した形状）に形成される。かしめ部カバー５における左側板６４の左側方には、内側係止片８２が挿入される係止片挿入体７０が形成される。左側板６４において係止片挿入体７０は２つ設けられ、前後方向に適宜な間隔をあけて配置される。また、前後に配置された係止片挿入体７０の間には、基板ケース１の外側係止片８１と係止される係止片受部６６が設けられる。係止片受部６６は、左側方へ向けて突出して形成される。
なお、左側板６４は、かしめ部カバー５が基板ケース１に取り付けられた状態で、該左側板６４の内面側に、基板ケース１の上端部の左右に配置された複数のかしめ部１０のうち最も左側に配置されたかしめ部１０、つまり左側の第三かしめ部３００の第一本体側枠体１２３の左側面が当接、又は近接するように設定される。
【００８５】
右側板６５は、かしめ部カバー５の右部を成す略板状の部材である。右側板６５は、前後方向にやや細長い略長方形状であって前後の上端部が側面視で略正方形状に切り欠けられた形状（前後中央部が上方へ突出した形状）に形成される。かしめ部カバー５における右側板６５の右側方には、内側係止片８２が挿入される係止片挿入体７０が形成される。なお、右側板６５において係止片挿入体７０は２つ設けられ、前後方向に適宜な間隔をあけて配置される。また、前後に配置された係止片挿入体７０の間には、基板ケース１の外側係止片８１と係止される係止片受部６６が設けられる。係止片受部６６は、右側方へ向けて突出して形成される。
なお、右側板６５は、かしめ部カバー５が基板ケース１に取り付けられた状態で、該右側板６５の内面側に、基板ケース１の上端部の左右に配置された複数のかしめ部１０のうち最も右側に配置されたかしめ部１０、つまり右側の第三かしめ部３００の第一本体側枠体１２３の右側面が当接、又は近接するように設定される。
【００８６】
以上のように、かしめ部カバー５は、天板６１と、前板６２と、背板６３と、左側板６４と、右側板６５と、により下側が開口された略直方体の箱状に形成されるとともに、天板６１を除く全ての板（つまり前板６２と、背板６３と、左側板６４と、右側板６５と）に、基板ケース１の内側係止片８２が挿入される係止片挿入体７０が１又は２つ形成されて、合計６つの係止片挿入体７０を備えている。そして、かしめ部カバー５が基板ケース１の取り付け位置に配置されると、各係止片挿入体７０に、対応する内側係止片８２がそれぞれ挿入され、その係止片挿入体７０と内側係止片８２とが係止される。また、その際には、基板ケース１の各外側係止片８１に、対応する外側係止片８１が係止される。このような構成により、かしめ部カバー５が基板ケース１に取り付けられる。
【００８７】
最後に、以上のように構成される基板ケース１の作用効果について説明する。
【００８８】
本発明の一実施形態に係る基板ケース１は、
ケース本体２と蓋部材３とを組み付けて形成される基板ケース１において、
前記ケース本体２の天板（一側面）に設けられる本体側筒状部材である本体側かしめ部２０と、前記蓋部材３の天板（一側面）に設けられる蓋側筒状部材である蓋側かしめ部３０とを組み付けて形成され、本体側かしめ部２０と蓋側かしめ部３０とを跨いだ状態に嵌入部材５０が嵌入されるかしめ部（基板ケース筒状部材）１０と、
下側（一面）が開口した略箱状に形成され、前記開口した面をケース本体２および蓋部材３の天板（一側面）に向けた姿勢、かつその内部にかしめ部１０を収容した状態で、ケース本体２および蓋部材３に係止されるかしめ部カバー５と、
を備え、
かしめ部カバー５内における、ケース本体２および蓋部材３の一側面と対向する天板（対向面）６１には、該天板６１の長手方向に沿って凹陥する溝部６１ａが形成され、
天板６１の前後方向（短手方向）における、かしめ部１０の途中部には、かしめ部カバー５がケース本体２および蓋部材３に係止された状態で、かしめ部カバー５の溝部６１ａに嵌合する第二かしめ部２００の第二本体側枠体（嵌合部）２２３が形成されるものである。
【００８９】
このような構成により、ケース本体２と蓋部材３とを組み付けて形成され、そのケース本体２と蓋部材３とを固定するかしめ部１０を被覆するかしめ部カバー５を備える基板ケース１において、ケース本体２と蓋部材３との固定を不正に解除する不正行為を防止することができる。
【００９０】
なお、具体的に想定される不正行為としては、図２１に示すように、かしめ部カバー５の前板６２および背板６３を前後方向へ向けて強い力で押圧することが考えられる。つまり、かしめ部カバー５は、その前板６２および背板６３が左右方向に細長い長方形状に形成されているので、その左右方向に直交する方向（即ち、前後方向）へ向けて強い力で押圧されると、その押圧に応じて前板６２および背板６３が前後方向へ向けて弾性変形（湾曲）し、かしめ部カバー５の前板６２および背板６３（の下端部）と基板ケース１の天板６１との間に隙間が生じる場合がある。かかる場合、この隙間から何らかの工具が挿入され、その工具によりかしめ部カバー５が基板ケース１から取り外されたり、或いはかしめ部カバー５が基板ケース１に取り付けられた状態のまま、かしめ部カバー５内の第一かしめ部１００および第二かしめ部２００に（例えば、嵌入部材５０を抜き取る等の）不正な細工が施されたりして、ケース本体２と蓋部材３との固定を不正に解除されるおそれがある。
【００９１】
しかしながら、本発明の構成において、かしめ部カバー５が基板ケース１に取り付けられた状態では、かしめ部カバー５は、天板６１の溝部６１ａ内に、第二本体側かしめ部２２０の第二本体側枠体２２３の上部が嵌め込まれ、その溝部６１ａの内周面と第二本体側かしめ部２２０の第二本体側枠体２２３の外周面（上面、前側面および後側面）の上部とが当接、又は近接するものである。
したがって、かしめ部カバー５の前板６２および背板６３が前後方向へ向けて強い力で押圧されたとしても、その前板６２および背板６３の上端部を連結させる部材である天板６１、さらに詳細には天板６１の溝部６１ａおよび第二本体側枠体２２３を介して第二かしめ部２００により、その前後方向へ向けて押圧された力を受け止めることができる。よって、かしめ部カバー５の前板６２および背板６３が前後方向へ向けて弾性変形（湾曲）し難くなり、かしめ部カバー５の前板６２および背板６３（の下端部）と基板ケース１との間に隙間が生じ難くなる。つまり、かしめ部カバー５内に何らかの工具が挿入されることがなく、前述したような不正行為を防止することができる。
【００９２】
また、前述したような不正行為と異なり、例えばかしめ部カバー５の天板６１を切断して貫通孔を形成し、この貫通孔から何らかの工具を挿入しようとする不正行為に対しても効果を奏する。即ち、天板６１の溝部６１ａの内周面と第二本体側かしめ部２２０の第二本体側枠体２２３の外周面（上面、前側面および後側面）の上部とが当接、又は近接するので、これらが離間している場合（換言すれば、かしめ部カバー５内において天板６１の近傍に他の部材が配置されていない場合）と比べて、天板６１を切断して貫通孔を形成し難くなっている。つまり、かしめ部カバー５内に何らかの工具が挿入されることがなく、このような不正行為を防止することができる。
【００９３】
また、本発明の一実施形態に係る基板ケース１において、かしめ部カバー５の天板６１の前後方向における、かしめ部１０（第一かしめ部１００、第二かしめ部２００および第三かしめ部３００）の両端面は、かしめ部カバー５がケース本体２および蓋部材３に係止された状態で、天板６１の左右方向に沿って形成されるかしめ部カバー５の前板６２および背板６３に、それぞれ当接するものである。
【００９４】
このような構成により、ケース本体２と蓋部材３とを組み付けて形成され、そのケース本体２と蓋部材３とを固定するかしめ部１０を被覆するかしめ部カバー５を備える基板ケース１において、ケース本体２と蓋部材３との固定を不正に解除する不正行為をより確実に防止することができる。
【００９５】
即ち、本実施形態において、前板６２は、かしめ部カバー５が基板ケース１に取り付けられた状態で、該前板６２の内面側に、第一かしめ部１００および第三かしめ部３００の各第一蓋側収容部１３２の前端面と、第二かしめ部２００の第二蓋側筒部２３１の前端面（第二蓋側筒部２３１の閉塞部２３５の前面）が当接、又は近接するものである。また、背板６３は、かしめ部カバー５が基板ケース１に取り付けられた状態で、該背板６３の内面側に、第一かしめ部１００および第三かしめ部３００の各第一本体側筒部１２１の後端面（第一かしめ部１００においては、第一本体側筒部１２１の閉塞部１２５の後面）と、第二かしめ部２００の第二本体側収容部２２２の後端面が当接、又は近接するものである。
したがって、前述したような不正行為（かしめ部カバー５の前板６２および背板６３が前後方向へ向けて強い力で押圧される行為）があっても、かしめ部カバー５の前板６２および背板６３が前後方向へ向けて弾性変形（湾曲）し難くなり、かしめ部カバー５の前板６２および背板６３（の下端部）と基板ケース１との間に隙間が生じ難くなる。つまり、かしめ部カバー５内に何らかの工具が挿入されることがなく、前述したような不正行為をより確実に防止することができる。
【００９６】
また、本発明の一実施形態に係る基板ケース１において、かしめ部１０は、２つ以上設けられ、
かしめ部カバー５がケース本体２および蓋部材３に係止された状態で、かしめ部カバー５内に収容された前記２つ以上のかしめ部１０のうち、天板６１の左右方向における両最外側に配置される左右の第三かしめ部３００は、天板６１の前後方向に沿って形成されるかしめ部カバー５の左側板６４と右側板６５とに、それぞれ当接するものである。
【００９７】
このような構成により、ケース本体２と蓋部材３とを組み付けて形成され、そのケース本体２と蓋部材３とを固定するかしめ部１０を被覆するかしめ部カバー５を備える基板ケース１において、ケース本体２と蓋部材３との固定を不正に解除する不正行為をより確実に防止することができる。
【００９８】
即ち、本実施形態において、かしめ部１０は、基板ケース１の上端部に左右に二組に分けられてまとめて配置され、２つの第二かしめ部２００が左右方向に適宜の間隔をあけて配置される。
したがって、前述したような不正行為が行われても、２つの第二かしめ部２００の第二本体側枠体２２３により、その前後方向へ向けて押圧された力を受け止めることができる。よって、第二本体側枠体２２３が１つの場合と比べて、かしめ部カバー５の前板６２および背板６３が前後方向へ向けて弾性変形（湾曲）し難くなり、かしめ部カバー５の前板６２および背板６３（の下端部）と基板ケース１との間に隙間が生じ難くなる。つまり、かしめ部カバー５内に何らかの工具が挿入されることがなく、前述したような不正行為をより確実に防止することができる。
【００９９】
また、本実施形態において、かしめ部１０は、基板ケース１の上端部に左右に二組に分けられてまとめて配置される。つまり、二組の第一かしめ部１００、第二かしめ部２００および第三かしめ部３００が左右方向に適宜の間隔をあけて配置される。
したがって、前述したような不正行為が行われても、二組の第一かしめ部１００、第二かしめ部２００および第三かしめ部３００（換言すれば、合計６つのかしめ部１０）により、その前後方向へ向けて押圧された力を受け止めることができる。よって、第一かしめ部１００、第二かしめ部２００および第三かしめ部３００が一組の場合と比べて、かしめ部カバー５の前板６２および背板６３が前後方向へ向けて弾性変形（湾曲）し難くなり、かしめ部カバー５の前板６２および背板６３（の下端部）と基板ケース１との間に隙間が生じ難くなる。つまり、かしめ部カバー５内に何らかの工具が挿入されることがなく、前述したような不正行為をより確実に防止することができる。
【０１００】
また、本実施形態において、左側板６４は、かしめ部カバー５が基板ケース１に取り付けられた状態で、該左側板６４の内面側に、基板ケース１の上端部の左右に配置された複数のかしめ部１０のうち最も左側に配置されたかしめ部１０、つまり左側の第三かしめ部３００の第一本体側枠体１２３の左側面が当接、又は近接するものである。また、右側板６５は、かしめ部カバー５が基板ケース１に取り付けられた状態で、該右側板６５の内面側に、基板ケース１の上端部の左右に配置された複数のかしめ部１０のうち最も右側に配置されたかしめ部１０、つまり右側の第三かしめ部３００の第一本体側枠体１２３の右側面が当接、又は近接するものである。
したがって、かしめ部カバー５が基板ケース１に取り付けられた状態で、かしめ部カバー５は、天板６１と左側板６４と右側板６５と前板６２と背板６３とが、第一かしめ部１００、第二かしめ部２００、および第三かしめ部３００と当接、又は近接するものである。換言すれば、下側が開口された略直方体の箱状に形成されるかしめ部カバー５の下側を除く、全ての面が第一かしめ部１００、第二かしめ部２００、または第三かしめ部３００のいずれかのかしめ部により当接、又は近接するものである。よって、第一かしめ部１００、第二かしめ部２００、または第三かしめ部３００のいずれかのかしめ部とかしめ部カバー５の１面が当接、又は近接する場合と比べて、かしめ部カバー５の前板６２および背板６３が前後方向へ向けて弾性変形（湾曲）し難くなり、かしめ部カバー５の前板６２および背板６３（の下端部）と基板ケース１との間に隙間が生じ難くなる。つまり、かしめ部カバー５内に何らかの工具が挿入されることがなく、前述したような不正行為をより確実に防止することができる。
【符号の説明】
【０１０１】
１：基板ケース，２：ケース本体，３：蓋部材，２０：本体側かしめ部，３０：蓋側かしめ部，５０：嵌入部材，１０：かしめ部，５：かしめ部カバー，６１：天板，６１ａ：溝部，２００：第二かしめ部，２２３：第二本体側枠体
【図１】
2011212327.tif 000003
【図２】
2011212327.tif 000004
【図３】
2011212327.tif 000005
【図４】
2011212327.tif 000006
【図５】
2011212327.tif 000007
【図６】
2011212327.tif 000008
【図７】
2011212327.tif 000009
【図８】
2011212327.tif 000010
【図９】
2011212327.tif 000011
【図１０】
2011212327.tif 000012
【図１１】
2011212327.tif 000013
【図１２】
2011212327.tif 000014
【図１３】
2011212327.tif 000015
【図１４】
2011212327.tif 000016
【図１５】
2011212327.tif 000017
【図１６】
2011212327.tif 000018
【図１７】
2011212327.tif 000019
【図１８】
2011212327.tif 000020
【図１９】
2011212327.tif 000021
【図２０】
2011212327.tif 000022
【図２１】
2011212327.tif 000023